(57)【要約】【課題】強度不足のブロック塀は地震などにより倒壊し、通行人がブロック塀の下敷きとなる災害発生が起こり得る。この強度不足のブロック塀のフェンス塀への改築工法を提供する。【解決手段】本発明に係るブロック塀のフェンス塀への改築工法は、下地コンクリート基台２以外のブロック塀３を取り壊し、残る下地コンクリート基台２上の穴８に、縦筋１０とフェンス支柱取付具１１とを有する固定部材１２を取り付ける。フェンス支柱１３の空洞１５を、前記フェンス支柱取付具１１に嵌入させることでフェンス支柱１３を設置し、フェンス支柱１３が有する長手方向の溝１６に、フェンス１８の補強部材１７を挿入してフェンス塀１９を設置する。【選択図】図５ａ
2020133207.tif 000002
【特許請求の範囲】
【請求項１】
（ａ）下地コンクリート基台以外のブロック塀を取り壊す工程と、
（ｂ）縦筋とフェンス支柱取付具とを有する固定部材を下地コンクリート基台に取り付ける工程と、
（ｃ）前記フェンス支柱取付具にフェンス支柱をスライドさせて、当該フェンス支柱を取り付ける工程と、
（ｄ）前記フェンス支柱にフェンスを取り付ける工程と、
を含む、強度不足のブロック塀のフェンス塀への改築工法。
【請求項２】
前記フェンス支柱内に空洞が設けられ、縦筋とフェンス支柱取付具とを有する固定部材が当該空洞内に嵌入されることを特徴とする、請求項１に記載の強度不足のブロック塀のフェンス塀への改築工法。
【請求項３】
前記フェンス支柱は、長手方向に１以上の溝を有し、前記フェンスの縦方向に１以上設けられた補強部材が当該溝に挿入されることを特徴とする、請求項１に記載の強度不足のブロック塀のフェンス塀への改築工法。
【請求項４】
前記フェンスの補強部材は前記フェンスの側面又は左右両端、左端、若しくは右端のいずれかに位置づけられることを特徴とする、請求項１に記載の強度不足のブロック塀のフェンス塀への改築工法。
【請求項５】
前記工程（ａ）〜（ｄ）により得られたフェンス塀を、前記下地コンクリート基台の延設に沿って複数台設置することを特徴とする、請求項１に記載の強度不足のブロック塀のフェンス塀への改築工法。
【請求項６】
請求項１に記載の強度不足のブロック塀のフェンス塀への改築工法に使用する金具であって、金属又は金属と同等以上の曲げ強度を有する合成樹脂製の棒状の縦筋と、該縦筋と同一の方向に延びる柱状のフェンス支柱取付具とを含む固定部材、及び前記フェンス支柱取付具の、１又は複数の長手方向の位置で該フェンス支柱取付具に固定されるフェンス支柱を備えてなることを特徴とするブロック塀改築工法に使用する金具。
【発明の詳細な説明】
【技術分野】
【０００１】
本発明は、既存の強度不足であるブロック塀のフェンス塀への改築工法に関する。
【背景技術】
【０００２】
従来から知られているブロック塀は、通常、下地コンクリート基台上に複数のコンクリートブロックを組積してブロック壁を形成しており、下地コンクリート基台の過半部が基礎地中に埋設状態とされて倒壊しないよう支えられている。しかし、地震時には、ブロック塀が倒壊して通行人がブロックの下敷きになるような災害発生が問題とされている。例えば、２０１８年６月１８日に起きた震度６弱の大阪北部地震では、高槻市立寿栄小学校のブロック塀が倒壊し、女児が下敷きとなって命を落とした。この例では、基礎部分の上に、規定長さ以上のブロック塀を補強用支持具なしで組積していたために起こったものと考えられている。
【０００３】
このことから、地震などによるブロック塀倒壊を防止するための、ブロック塀の補強工事が急務となっている。一般的に、この補強工事は強度不足のブロック塀を支えるため、例えば特許文献１に開示されているような補強支持具を用いる。しかし、この補強支持具が劣化した場合、やはりブロック塀の重量ゆえに、倒壊の危険性がある。一方で、下地コンクリート基台設置の工程を含む、縦筋で固定したブロック塀の施工方法が知られている（特許文献２参照）。また、縦筋を挿入するための穴を有する円柱体状の下地コンクリート基台の設置工程を含む、フェンス塀の施工方法についても知られている（特許文献３参照）。しかし、これらの施工方法はいずれも下地コンクリート基台を新たに設置することが前提とされており、既設の強度不足のブロック塀を取り壊す工程で残される下地コンクリート基台を再使用するという思想がない。
【先行技術文献】
【特許文献】
【０００４】
【特許文献１】特開２００９―１４４３４１（段落００２４〜００３１、図１）
【特許文献２】特開２００７―２９１６２１（段落００１６〜００３０、図１）
【特許文献３】特開２００８―１９６８３（段落００２２〜００３４、図４）
【発明の概要】
【発明が解決しようとする課題】
【０００５】
そこで本発明は、地震や台風による強度不足のブロック塀倒壊で人的な被害をなくするか、或いは最小限に抑えることができるよう強度不足のブロック塀のフェンス塀への改築工法を提供すること、及び当該強度不足のブロック塀のフェンス塀への改築工法に使用する金具を提供することを技術的課題（目的）とするものである。
【課題を解決するための手段】
【０００６】
上記課題を解決するため、本発明の第１の態様は、
（ａ）下地コンクリート基台以外のブロック塀を取り壊す工程と、
（ｂ）縦筋とフェンス支柱取付具とを有する固定部材を下地コンクリート基台に取り付ける工程と、
（ｃ）前記フェンス支柱取付具にフェンス支柱をスライドさせて、当該フェンス支柱を取り付ける工程と、
（ｄ）前記フェンス支柱にフェンスを取り付ける工程と、
を含むことを特徴とする。
【０００７】
また、前記フェンス支柱内に空洞が設けられ、縦筋とフェンス支柱取付具とを有する固定部材が当該空洞内に嵌入されることが好ましい。
【０００８】
また、前記フェンス支柱は、長手方向に１以上の溝を有し、前記フェンスの補強部材が当該溝に挿入されることが好ましい。
【０００９】
また、前記フェンスの補強部材は前記フェンスの側面又は左右両端、左端、若しくは右端のいずれかに位置づけられることが好ましい。
【００１０】
前記工程（ａ）〜（ｄ）により得られたフェンス塀を、前記下地コンクリート基台の延設に沿って複数台設置することが好ましい。
【００１１】
本発明の第２の態様は、前記本発明の第１の態様になる強度不足のブロック塀のフェンス塀への改築工法に使用する金具であって、金属又は金属と同等以上の曲げ強度を有する合成樹脂製の棒状の縦筋と、該縦筋と同一の方向に延びる柱状のフェンス支柱取付具とを含む固定部材、及び前記フェンス支柱取付具の、１又は複数の長手方向の位置で該フェンス支柱取付具に固定されるフェンス支柱を備えてなることを特徴とする。
【発明の効果】
【００１２】
請求項１に係る発明によれば、既設の強度不足のブロック塀の下地コンクリート基台を利用してフェンス塀を設置することが可能となる。また、既設のブロック塀の下地コンクリート基台をそのまま利用することを構成上の特徴としているので、フェンス塀への改築工法にかかるコストを削減することができる。請求項１の構成により、ブロック塀をフェンス塀に取り替えることで地震により倒壊しても人的被害を最小限に抑えることができ、又台風の風圧を逃がすことができるため、結果的に台風によって倒壊し難いという利点がある。好みに応じて種々の素材（例えば、木材、竹材、金属材、合成樹脂材）のフェンスを選択できるため、汎用性の高いフェンス塀を提供でき、劣化しても容易に取り替えることができるフェンス塀に改築することができる。請求項１の構成のうち、「（ｂ）縦筋とフェンス支柱取付具とを有する固定部材を下地コンクリート基台に取り付ける工程」により、改築後のフェンス塀は下地コンクリート基台に対して縦筋で固定されているため安定性があり、ブロック塀よりも軽量であるため、地震によるブロック塀倒壊を防ぐ有用な改築工法を提供できる。
【００１３】
請求項２に係る発明によれば、フェンス支柱内に空洞が設けられており、この空洞内にフェンス支柱取付具をスライドさせて挿通させることで、縦筋とフェンス支柱取付具とを有する固定部材とフェンス支柱とが接続可能となる。一例として、凹型のフェンス支柱と、C字型の縦筋とフェンス支柱取付具とを有する固定部材を用いた場合、凹型の当該空洞内に、C字型の縦筋とフェンス支柱取付具とを有する固定部材を嵌入することで接続できる。これにより、下地コンクリート基台にフェンス支柱を堅固に固定することが可能となる。
【００１４】
請求項３に係る発明によれば、フェンス支柱が長手方向に１以上の溝を有することで、フェンスの補強部材を当該溝に挿入し、簡易にフェンスを取り付けることが可能となる。
【００１５】
請求項４に係る発明によれば、フェンスの補強部材はフェンスの側面又は左右両端、左端、若しくは右端のいずれかに位置づけられるものであり、種々の組み合わせのフェンス塀を設置することが可能となる。
【００１６】
請求項５に係る発明によれば、請求項１の工程（ａ）〜（ｄ）により得られたフェンス塀を、下地コンクリート基台の延設に沿って複数台設置することができ、既存の強度不足のブロック塀の様々な下地コンクリート基台の形状に対して、前記フェンス塀を設置することが可能となる。具体的には、同一方向に距離が長く延びるフェンス塀、途中で９０度曲がった方向に延びるフェンス塀を提供できる。
【００１７】
請求項６に係る発明によれば、強度不足のブロック塀のフェンス塀への改築工法に使用する金具であって、棒状の縦筋と、該縦筋と同一の方向に延びる柱状のフェンス支柱取付具とを含む固定部材、及び前記フェンス支柱取付具に固定されるフェンス支柱を備えたもので、これらの金具により、強度不足のブロック塀のフェンス塀への改築工法が可能となる。
【図面の簡単な説明】
【００１８】
【図１ａ】既設の強度不足のブロック塀の状態を示す斜視図である。
【図１ｂ】下地コンクリート基台を残してブロック塀を取り壊す工程を示す工程説明図である。
【図２ａ】ブロック塀取り壊し工程で残された下地コンクリート基台を示す斜視図（工程説明図）である。
【図２ｂ】下地コンクリート基台に穴を開ける工程を示す工程説明図である。
【図３】縦筋とフェンス支柱取付具とを有する固定部材とフェンス支柱を、それぞれ下地コンクリート基台とフェンス支柱取付具に取り付ける工程を示す工程説明図である。
【図４】フェンスをフェンス支柱に取り付ける工程を示す工程説明図である。
【図５ａ】本発明の実施形態１に係る工法により改築されたフェンス塀の一例を示す斜視図である。
【図５ｂ】本発明の実施形態１に係る工法により改築されたフェンス塀の他の一例を示す説明図である。
【図６】本発明の実施形態２に係る工法により改築されたフェンス塀の一例を示す斜視図である。
【発明を実施するための形態】
【００１９】
[実施形態１]
図１ａないし図５ｂの添付図面を参照しつつ、本発明の実施形態１に係る強度不足のブロック塀のフェンス塀への改築工法（以下、単に「工法」ともいう）を詳細に説明する。
【００２０】
例として、学校前の強度不足のブロック塀のフェンス塀への改築工法を説明する。図１ａに図示されるように、学校の壁４の手前側にあるブロック塀３は、地面１に対してコンクリートの打設により施工される下地コンクリート基台２と、この下地コンクリート基台２の上に組積される複数のコンクリートブロックＢＬからなり、ブロック塀３は後述する筋６で補強されている。本発明において「強度不足のブロック塀」とは、既設のブロック塀に見られる、下地コンクリート基台上に単に複数のブロックが積み重ねられたもので、地震、台風（強風）の対策がなされていないブロック塀をいう。本発明は、下地コンクリート基台に対して補強材を介してコンクリートを積み重ねられたものへも適用できることは言うまでもない。
【００２１】
図１ｂに図示されるように、工程（ａ）として、下地コンクリート基台２以外のブロック塀３を取り壊す。一例として、ショベルカー７による筋６を含むブロック塀３の解体作業を示している。破砕したブロック塀５を撤去し、フェンス塀１９を立てるための下地コンクリート基台２を残す。この解体作業はショベルカー７に限定されず、例えばハンマーを用いた人為的な解体作業等も含む。
【００２２】
工程（ａ）の解体作業の結果、図２ａに図示されるように、地面１の上に、ブロック塀３の下地コンクリート基台２が残される。残された下地コンクリート基台２は必要に応じて、長さの調節や、表面部を平らにするなどの作業を行う。
【００２３】
図２ｂに図示されるように、下地コンクリート基台２に対し、ドリル９を用いて穴８を開ける。この穴８の径は、例えば２０〜３５ｍｍの範囲で開けることが可能であり、これにより、図示しないが、下地コンクリート基台２の内部の縦と横にマトリックス状に配置された鉄筋を傷つけることなく穴を設けることができる。これは、後述する縦筋１０において、円径が小さいものを使用できるため可能となる。従来の縦筋を使用する場合は、例えば穴径７５〜１００ｍｍの範囲で開ける必要があり、下地コンクリート基台２の内部の鉄筋を傷つけてしまう課題があったが、本工法ではそのような問題が起こらない。後述するフェンス１８の設置は、下地コンクリート基台２の２つの穴８に対し１台設置可能となる。ここでは、フェンスの長さを考慮して、穴８を開ける位置を決定する。また、穴８を開ける方法としてドリル９を用いたが、例えば振動ドリルなどの種々の工具による方法を用いることができる。
【００２４】
図３に図示されるように、縦筋１０とフェンス支柱取付具１１とを有する固定部材１２を下地コンクリート基台２に取り付ける工程（ｂ）を行う。穴８に対してコーキング剤１４を注入し、その後に縦筋１０を挿入して接着することによって固着する。縦筋１０とフェンス支柱取付具１１との固着は、フェンス支柱取付具１１が金属の場合には溶接接合、合成樹脂の場合には熱融着が用いられる。フェンス支柱取付具１１の素材は、金属としては、鉄、ステンレス、アルミニウムなどが用いられ、合成樹脂としては、耐熱性、高強度、耐摩耗性、高硬度を備える、ポリアミド、ポリカーボネート、ポリアセタール、ポリエチレンテレフタレート、ポリブチレンテレフタレート、変性ポリフェニレンエーテル、ポリフェニレンスルフィド、ポリエーテルエーテルケトン、ポリアリレート、ポリスルホン、ポリエーテルスルホン、ポリケトンスルフィド、ポリエーテルイミド、ポリアミドイミド、ポリイミド、ポリ四ふっ化エチレン、芳香族ポリエステル、ポリアミノビスマレイミド、トリアジン樹脂などが用いられる。また、コーキング剤１４は、例えばエポキシ樹脂接着剤などが用いられる。下地コンクリート基台２への固定部材１２の設置後は、フェンス支柱取付具１１にフェンス支柱１３をスライドさせて取り付ける工程（ｃ）を行う。フェンス支柱１３は、その支柱内に空洞１５と、外側に長手方向の溝１６とを有している。今回の例では、凹型の空洞１５（凹型断面を有する空洞）に、Ｃ字型のフェンス支柱取付具１１（Ｃ字型断面を有するフェンス支柱取付具）が嵌入されることで取り付け可能となり、下地コンクリート基台２の上部の高さで係止する。図示しないが、フェンス支柱１３は、フェンス支柱取付具１１に対して、外側からボルト・ナット等の接合手段で固定できる。フェンス支柱１３の素材は、フェンス支柱取付具１１と同様の素材が用いられるが、その成形方法の例としては、金属の場合には金属板の曲げ加工と溶接接合による成形、合成樹脂の場合には金型による射出成形などが用いられる。また、フェンス支柱１３は、高さ２ｍ以下のものを想定しているが、高さ２ｍを超えるものについても使用できることは言うまでもない。ブロック・エクステリアに関わる基準では、連続フェンス塀の全高さを２.２ｍ以下としており、この範囲を超えないものであれば使用できる。その場合、フェンス支柱１３に対する補強具を用いて、周知の方法によって隣り合うフェンス支柱１３を支えることで使用する。
【００２５】
フェンス支柱１３の設置後、図４に図示されるように、フェンスを取り付ける工程（ｄ）を行う。下地コンクリート基台２に設置した、縦筋１０で固定されるフェンス支柱１３の長手方向の溝１６に、フェンス１８の補強部材１７を挿入してフェンスを取り付け、フェンス塀１９の設置が完了する。補強部材１７は、図４に示されるような、フェンス１８に対して直線的かつ連続的に延設される棒状の形態に限られることはなく、間欠的にフェンス１８に設けられる所謂「止め具」の形態であってもよい。フェンス支柱１３と補強部材１７は市場で入手できるものを使用することができ、例えば、フェンス支柱１３にＬＩＸＩＬ社製の「柱（商品名）」を、補強部材１７にＬＩＸＩＬ社製の「ブラケット（商品名）」を採用することができる。フェンス支柱１３は、長手方向の溝１６を含む、１又は複数の長手方向の位置で１以上の穴を設けることが可能であり、フェンス１８の補強部材１７についても、１以上の穴を設けることが可能である。これにより、図示しないが、フェンス支柱１３の穴と、フェンス支柱１３の長手方向の溝１６の穴と、補強部材１７の穴とを例えばボルトを挿通させナットで締め付けることで、所定の高さでフェンス１８を固定できる。これにより、例えば庭に工事用の資材を搬入・搬出したりすることができるという利点がある。フェンスの補強部材は、木材、金属、合成樹脂などの素材が用いられ、フェンスの側面又は左右両端、左端、若しくは右端のいずれかの位置に固着できる。図４、５ａ及び６には、フェンス１８は鎧板と呼ばれる細長く延びた複数の板を一定の傾斜を付けて互いに平行かつ横方向にフェンス１８の補強部材１７に固着されたものが示されているが、フェンス１８は特定の形状・構造に限定されるものではなく、「フェンス」という商品名で市場に出ているものを採用することができる。従って、横方向に細長く延びた複数の板を互いに平行かつ横方向又は縦方向に夫々隙間をあけてフェンス１８の補強部材１７に固着したものや、枠体（図示されず）に竹材を網代に組み付けたものの枠体（図示されず）がフェンス１８の補強部材１７に固着されたものなども言うまでもなく採用される。又、素材も特定のものに限定されることはない。例えばステンレス、アルミニウムなどの耐食性を有する金属板、鉄板などに塗料を塗布して耐食性をもたせた金属板、木材に塗料を塗布した木材、竹材、或いはプラスチックなどを採用することができる。また、図５ａに図示されるように、フェンス塀１９は、下地コンクリート基台２の延設に沿って複数台設置することが可能であり、その際には、縦筋１０とフェンス支柱取付具１１とを有する固定部材１２の設置場所を厳密に位置取ることで、隣り合うフェンス１８の隙間をなくすよう設置できる。また、図５ｂに図示されるように、下地コンクリート基台２に設置したフェンス支柱１３に、２枚のフェンス１８を固定したフェンス塀１９を設置できる。２枚を超えるフェンス１８をフェンス支柱１３に固定できることは言うまでもなく、フェンス１８はフェンス支柱１３の任意の位置にボルト・ナットなどの公知の締結手段によって固定でき、かつ隣り合うフェンス１８同士を互いに隙間を開けて固定することも可能である。
【００２６】
[実施形態２]
図６の添付図面を参照しつつ、本発明の実施形態２に係る強度不足のブロック塀のフェンス塀への改築工法を詳細に説明する。
実施形態１で記載した強度不足のブロック塀のフェンス塀への改築工法では、１つの長手方向の溝１６を有したフェンス支柱１３のみを用いてフェンス塀１９の設置を説明した。実施形態２では、２以上の長手方向の溝１６を有するフェンス支柱１３を用いて、フェンス塀１９を設置する方法を説明する。図６に図示されるように、２つの長手方向の溝１６を有するフェンス支柱１３を使用すると、９０度型のフェンス塀１９が形成可能となる。図示しないが、長手方向の溝１６を３つにすることで三方向型、４つにすることで十字型の設置が可能となり、これに係る様々な形状のフェンス塀１９を提供できる。
【産業上の利用可能性】
【００２７】
本発明に係る強度不足のブロック塀のフェンス塀への改築工法によれば、既設の強度不足のブロック塀の下地コンクリート基台を利用してフェンス塀を設置することが可能となる。また、既設のブロック塀の下地コンクリート基台をそのまま利用することを構成上の特徴としているので、フェンス塀への改築工法にかかるコストを削減することができる。請求項１の構成により、ブロック塀をフェンス塀に取り替えることで地震により倒壊しても人的被害を最小限に抑えることができ、又台風の風圧を逃がすことができるため、結果的に台風によって倒壊し難いという利点がある。好みに応じて種々の素材（例えば、木材、竹材、金属材、合成樹脂材）のフェンスを選択できるため、汎用性の高いフェンス塀を提供でき、劣化しても容易に取り替えることができるフェンス塀に改築することができる。請求項１の構成のうち、「（ｂ）縦筋とフェンス支柱取付具を有する固定部材を下地コンクリート基台に取り付ける工程」により、改築後のフェンス塀は下地コンクリート基台に対して縦筋で固定されているため安定性があり、ブロック塀よりも軽量であるため、地震によるブロック塀倒壊を防ぐ有用な改築工法を提供できる。
【００２８】
加えて、フェンス支柱内に空洞が設けられており、この空洞内にフェンス支柱取付具をスライドさせて挿通させることで、縦筋とフェンス支柱取付具とを有する固定部材とフェンス支柱とが接続可能となる。一例として、凹型のフェンス支柱と、C字型の縦筋とフェンス支柱取付具とを有する固定部材を用いた場合、凹型の当該空洞内に、C字型の縦筋とフェンス支柱取付具とを有する固定部材を嵌入することで接続できる。これにより、下地コンクリート基台にフェンス支柱を堅固に固定することが可能となる。
【００２９】
さらに、フェンス支柱が長手方向に１以上の溝を有することで、フェンスの補強部材を当該溝に挿入し、簡易にフェンスを取り付けることが可能となる。
【００３０】
加えて、フェンスの補強部材はフェンスの側面又は左右両端、左端、若しくは右端のいずれかに位置づけられるものであり、種々の組み合わせのフェンス塀を設置することが可能となる。
【００３１】
さらに、請求項１の工程（ａ）〜（ｄ）により得られたフェンス塀を、下地コンクリート基台の延設に沿って複数台設置することができ、既存の強度不足のブロック塀の様々な下地コンクリート基台の形状に対して、前記フェンス塀を設置することが可能となる。具体的には、同一方向に距離が長く延びるフェンス塀、途中で９０度曲がった方向に延びるフェンス塀を提供できる。
【００３２】
また、請求項６に係る発明によれば、強度不足のブロック塀のフェンス塀への改築工法に使用する金具であって、棒状の縦筋と、該縦筋と同一の方向に延びる柱状のフェンス支柱取付具とを含む固定部材、及び前記フェンス支柱取付具に固定されるフェンス支柱を備えたもので、これらの金具により、強度不足のブロック塀のフェンス塀への改築工法が可能となる。
【符号の説明】
【００３３】
１  地面
２  下地コンクリート基台
３  ブロック塀
４  壁
５  破砕したブロック塀
６  筋
７  ショベルカー
８  穴
９  ドリル
１０  縦筋
１１  フェンス支柱取付具
１２  固定部材
１３  フェンス支柱
１４  コーキング剤
１５  空洞
１６  溝
１７  補強部材
１８  フェンス
１９  フェンス塀
ＢＬ  コンクリートブロック
【図１ａ】
2020133207.tif 000003
【図１ｂ】
2020133207.tif 000004
【図２ａ】
2020133207.tif 000005
【図２ｂ】
2020133207.tif 000006
【図３】
2020133207.tif 000007
【図４】
2020133207.tif 000008
【図５ａ】
2020133207.tif 000009
【図５ｂ】
2020133207.tif 000010
【図６】
2020133207.tif 000011
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
（ａ）下地コンクリート基台以外のブロック塀を取り壊す工程と、
（ｂ）下地コンクリート基台の下方向に、前記下地コンクリート基台の内部の縦と横にマトリックス状に配置された鉄筋を傷つけることなく小径の穴を設け、縦筋とフェンス支柱取付具とを有する固定部材の前記縦筋を前記穴に挿入し、前記縦筋と前記穴とをコーキング剤で接着することにより前記固定部材を前記下地コンクリート基台に取り付ける工程と、
（ｃ）前記フェンス支柱取付具にフェンス支柱をスライドさせて、当該フェンス支柱を取り付ける工程と、
（ｄ）前記フェンス支柱にフェンスを取り付ける工程と、
を含む、強度不足のブロック塀のフェンス塀への改築工法。
【請求項２】
前記フェンス支柱内に空洞が設けられ、縦筋とフェンス支柱取付具とを有する固定部材が当該空洞内に嵌入されることを特徴とする、請求項１に記載の強度不足のブロック塀のフェンス塀への改築工法。
【請求項３】
前記フェンス支柱は、長手方向に１以上の溝を有し、前記フェンスの縦方向に１以上設けられた補強部材が当該溝に挿入されることを特徴とする、請求項１に記載の強度不足のブロック塀のフェンス塀への改築工法。
【請求項４】
前記フェンスの補強部材は前記フェンスの側面又は左右両端、左端、若しくは右端のいずれかに位置づけられることを特徴とする、請求項１に記載の強度不足のブロック塀のフェンス塀への改築工法。
【請求項５】
前記工程（ａ）〜（ｄ）により得られたフェンス塀を、前記下地コンクリート基台の延設に沿って複数台設置することを特徴とする、請求項１に記載の強度不足のブロック塀のフェンス塀への改築工法。
【請求項６】
金属製又は金属と同等以上の曲げ強度を有する合成樹脂製の棒状の縦筋と、該縦筋と同一の方向に延びる柱状のフェンス支柱取付具とを含む固定部材、及び前記フェンス支柱取付具の、１又は複数の長手方向の位置で該フェンス支柱取付具に固定されるフェンス支柱を備えてなる金具を使用することを特徴とする、請求項１に記載の強度不足のブロック塀のフェンス塀への改築工法。